【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
蘇生および換気監視システムであって、前記蘇生および換気監視システムは、
プロセッサと、
命令を有する非一過性コンピュータ読み取り可能な媒体と
を備え、
前記命令は、前記プロセッサによって実行されると、
ユーザ入力をユーザから受信することであって、前記ユーザ入力は、患者身長、体重、性別、または年齢のうちの少なくとも１つを備えている、ことと、
前記患者の肺と交換される空気流と流体連通する空気流量計または１つ以上のセンサのうちの少なくとも１つから受信された空気流、圧力、酸素、または二酸化炭素測定値のうちの少なくとも１つに基づいて、現在の換気モードおよび関連付けられた人工呼吸器設定を示す換気信号を発生させることと、
前記換気信号内に存在するアーチファクトを識別し、前記アーチファクトをフィルタ除去することと、
前記現在の換気モードおよび関連付けられた人工呼吸器設定が前記ユーザ入力によって定義された所定の限界内にあるかどうかに基づいて、前記換気を標的内または標的外のいずれかとして分類することと、
前記換気が標的外である場合、標的外換気タイプを決定し、アラートを発生させることと、
前記アラートが発生させられる場合、ユーザインターフェースを介して、前記標的外換気タイプに基づいて是正措置を提案することと
を前記プロセッサに行わせ、
前記提案される是正措置は、前記ユーザが前記患者の手動バギングまたは機械的人工呼吸器の人工呼吸器設定を調節することによって実装可能である、蘇生および換気監視システム。
【請求項２】
前記ユーザ入力を前記ユーザから受信するように構成された測定セレクタをさらに備え、
前記測定セレクタは、数字、文字、または色のうちの少なくとも１つを含む代用マーカを含む、請求項１に記載の蘇生および換気監視システム。
【請求項３】
前記代用マーカは、複数の着色オプションを含み、前記複数の着色オプションの各々は、Ｂｒｏｓｅｌｏｗテープによって定義された色および関連付けられた測定値増加に対応し、
前記Ｂｒｏｓｅｌｏｗテープによって定義された前記色および関連付けられた測定値増加の各々は、前記換気のそれぞれの所定の限界に対応する、請求項１に記載の蘇生および換気監視システム。
【請求項４】
前記ユーザ入力は、臨床決定支援アラーム閾値と是正措置のための提案とのためのユーザ定義設定をさらに備え、
前記アラートは、前記標的外換気タイプが前記臨床決定支援アラーム閾値を超えている場合に発生させられる、請求項１に記載の蘇生および換気監視システム。
【請求項５】
前記プロセッサは、ＷｉＦｉ、Ｂｌｕｅｔｏｏｔｈ（登録商標）、シリアル通信、またはセルラー通信のうちの少なくとも１つを介して、電子医療記録システムまたは遠隔医療システムを備えている１つ以上の外部宛先と、１つ以上の生理学的患者監視デバイスとに未加工換気データと臨床決定支援を含む導出された情報とを送信し、前記１つ以上の生理学的患者監視デバイスは、パルスオキシメータ、非侵襲性血圧カフ、侵襲性動脈血圧モニタ、頭蓋内モニタ、または心臓および循環器系生理学モニタを備えている、請求項１に記載の蘇生および換気監視システム。
【請求項６】
前記換気信号アーチファクトは、吸入事象、咳嗽、または患者人工呼吸器接続解除のうちの少なくとも１つである、請求項１に記載の蘇生および換気監視システム。
【請求項７】
前記非一過性コンピュータ読み取り可能な媒体の前記命令は、前記プロセッサによって実行されると、呼吸不全表現型が前記換気内に存在するかどうかを決定することを前記プロセッサにさらに行わせ、前記呼吸不全表現型のサブタイプは、急性呼吸窮迫症候群、閉塞性肺疾患、または気胸のうちの少なくとも１つである、請求項１に記載の蘇生および換気監視システム。
【請求項８】
前記ユーザ入力によって定義された前記換気の前記所定の限界は、容認可能な呼吸数および一回換気量の対応する範囲を備えている、請求項１に記載の蘇生および換気監視システム。
【請求項９】
前記非一過性コンピュータ読み取り可能な媒体の前記命令は、前記プロセッサによって実行されると、前記標的外換気のタイプがＰＶＡである場合、患者−人工呼吸器非同調（ＰＶＡ）サブタイプを決定することを前記プロセッサにさらに行わせ、
前記ＰＶＡサブタイプは、ダブルトリガ非同調、呼吸蓄積非同調、流量非同調、遅延終了非同調、早期終了非同調、強制呼気非同調、または非効果的トリガ非同調のうちの少なくとも１つであり、
前記提案される是正措置は、前記ＰＶＡサブタイプ、前記ＰＶＡの頻度、および前記ＰＶＡの時間的パターンのうちの少なくとも１つに基づく、請求項１に記載の蘇生および換気監視システム。
【請求項１０】
前記非一過性コンピュータ読み取り可能な媒体の前記命令は、前記プロセッサによって実行されると、前記標的外換気のタイプが一回換気量侵害である場合、送達される吸気体積が標的内にあるか、または標的外にあるかを決定することを前記プロセッサにさらに行わせ、
前記提案される是正措置は、前記現在の換気モードおよび関連付けられた人工呼吸器設定に基づく、請求項１に記載の蘇生および換気監視システム。
【請求項１１】
前記非一過性コンピュータ読み取り可能な媒体の前記命令は、前記プロセッサによって実行されると、病理学が急性呼吸窮迫症候群、閉塞性肺疾患、または気胸のうちの少なくとも１つを含むとき、換気を持続的に分析することによって、肺コンプライアンスの変化を経時的に決定することと、病理学的変化を経時的に識別することとを前記プロセッサにさらに行わせる、請求項１に記載の蘇生および換気監視システム。
【請求項１２】
前記１つ以上のセンサのうちの少なくとも１つは、前記患者の肺と交換される空気流と流体連通するＣＯ２センサを備えており、
前記非一過性コンピュータ読み取り可能な媒体の前記命令は、前記プロセッサによって実行されると、呼気された息中のＣＯ２を持続的に分析することによって、少なくとも、不適切な換気数または病理学のうちの少なくとも１つを識別すること、または心停止からの転帰を予測することを前記プロセッサにさらに行わせる、請求項１に記載の蘇生および換気監視システム。
【請求項１３】
前記１つ以上のセンサのうちの少なくとも１つは、前記患者の肺と交換される空気流と流体連通するＯ２センサを備えており、
前記非一過性コンピュータ読み取り可能な媒体の前記命令は、前記プロセッサによって実行されると、
前記Ｏ２を持続的に分析することと、
前記Ｏ２含有量が現在の生理学的状態のために高すぎるとき、または低すぎるときのいずれかを識別することと、
前記ユーザにＯ２濃度の変化に対してフィードバックを提供することと
を前記プロセッサにさらに行わせる、請求項１に記載の蘇生および換気監視システム。
【請求項１４】
前記非一過性コンピュータ読み取り可能な媒体の前記命令は、前記プロセッサによって実行されると、臨床データを持続的に分析すること、および／または、ＷｉＦｉ、Ｂｌｕｅｔｏｏｔｈ（登録商標）、シリアル通信、またはセルラー通信のうちの少なくとも１つを介して未加工換気データまたは前記蘇生および換気監視システムから導出されたより高次の情報を伝送することを前記プロセッサにさらに行わせ、前記臨床データは、ＷｉＦｉ、Ｂｌｕｅｔｏｏｔｈ（登録商標）、シリアル通信、またはセルラー通信のうちの少なくとも１つを介して、電子医療記録を備えている１つ以上の外部源と、パルスオキシメータ、非侵襲性血圧カフ、侵襲性動脈血圧モニタ、頭蓋内モニタ、または心臓および循環器系生理学モニタを備えている１つ以上の生理学的患者監視デバイスとから取得される、請求項１に記載の蘇生および換気監視システム。
【請求項１５】
命令を有する非一過性コンピュータ読み取り可能な媒体であって、前記命令は、人工呼吸器のプロセッサによって実行されると、
ユーザ入力をユーザから受信することであって、前記ユーザ入力は、患者身長、体重、性別、または年齢のうちの少なくとも１つを備えている、ことと、
前記患者の肺と交換される空気流と流体連通する空気流量計または１つ以上のセンサのうちの少なくとも１つから受信された空気流測定値に基づいて、現在の換気モードおよび関連付けられた人工呼吸器設定を示す換気信号を発生させることと、
前記換気信号内に存在するアーチファクトを識別し、前記アーチファクトをフィルタ除去することと、
前記現在の換気モードおよび関連付けられた人工呼吸器設定が前記ユーザ入力によって定義された所定の限界内にあるかどうかに基づいて、前記換気を標的内または標的外のいずれかとして分類することと、
前記換気が標的外である場合、標的外換気タイプを決定し、アラートを発生させることと、
前記アラートが発生させられる場合、ユーザインターフェースを介して、前記標的外人工呼吸器タイプに基づいて是正措置を提案することと
を前記プロセッサに行わせ、
前記提案される是正措置は、前記ユーザが前記患者の手動バギングまたは機械的人工呼吸器の人工呼吸器設定を調節することによって実装可能である、非一過性コンピュータ読み取り可能な媒体。
【請求項１６】
前記命令は、前記プロセッサによって実行されると、
前記標的外換気のタイプが患者−人工呼吸器非同調である場合、患者−人工呼吸器非同調タイプを決定することと、
呼吸不全表現型が前記換気内に存在するかどうかを決定することと
を前記プロセッサにさらに行わせ、
前記提案される是正措置は、前記患者−人工呼吸器非同調タイプに基づく、請求項１５に記載の非一過性コンピュータ読み取り可能な媒体。
【請求項１７】
前記命令は、前記プロセッサによって実行されると、換気を持続的に分析することによって、肺コンプライアンスの変化を経時的に決定することと、病理学的変化を経時的に識別することとを前記プロセッサにさらに行わせ、前記病理学的変化は、急性呼吸窮迫症候群、閉塞性肺疾患、または気胸を含む、請求項１５に記載の非一過性コンピュータ読み取り可能な媒体。
【請求項１８】
患者の蘇生および換気を監視する方法であって、前記方法は、
測定セレクタを介して、ユーザ入力をユーザから受信することであって、前記ユーザ入力は、患者身長、体重、性別、または年齢のうちの少なくとも１つを備えている、ことと、
前記患者の肺と交換される空気流と流体連通する空気流量計または１つ以上のセンサのうちの少なくとも１つから受信された空気流測定値に基づいて、現在の換気モードおよび関連付けられた人工呼吸器設定を示す換気信号を発生させることと、
前記換気信号内に存在するアーチファクトを識別し、前記アーチファクトをフィルタ除去することと、
前記現在の換気モードおよび関連付けられた人工呼吸器設定が前記ユーザ入力によって定義された所定の限界内にあるかどうかに基づいて、前記換気を標的内または標的外のいずれかとして分類することと、
前記換気が標的外である場合、標的外換気タイプを決定し、アラートを発生することと、
前記アラートが発生させられる場合、ユーザインターフェースを介して、前記標的外換気タイプに基づいて、是正措置を提案することと
を含み、
前記提案される是正措置は、前記ユーザが前記患者の手動バギングまたは機械的人工呼吸器の人工呼吸器設定を調節することによって実装可能である、方法。
【請求項１９】
前記標的外換気のタイプがＰＶＡである場合、ＰＶＡサブタイプを決定することと、
呼吸不全表現型が前記換気内に存在するかどうかを決定することと、
換気を持続的に分析することによって、肺コンプライアンスの変化を経時的に決定し、病理学的変化を経時的に識別することとであって、前記病理学的変化は、急性呼吸窮迫症候群、閉塞性肺疾患、または気胸を含む、ことと
をさらに含み、
前記提案される是正措置は、前記ＰＶＡサブタイプに基づく、請求項１８に記載の方法。
【請求項２０】
換気送達の特定の方法が、循環器系ショックの発現または悪化に影響し得るとき、末端器官機能不全の発現または悪化に影響し得るとき、または、所与の急性疾病の生理学的必要性を満たすために不十分であるとき等、外部源から導出された臨床データと連動して、換気データを持続的に分析することによって、前記換気の状態と呼吸不全以外の疾病との両方に関連する１つ以上の病理学的状態を検出することと、
換気設定の調節を検討するようにオペレータを促すことと
をさらに含む、請求項１８に記載の方法。
【手続補正２】
【補正対象書類名】明細書
【補正対象項目名】００１４
【補正方法】変更
【補正の内容】
【００１４】
また、任意の他のデバイスまたはシステムから独立して機能するデバイスを有することも望ましいであろう。
本発明は、例えば、以下を提供する。
（項目１）
蘇生および換気監視システムであって、前記蘇生および換気監視システムは、
プロセッサと、
命令を有する非一過性コンピュータ読み取り可能な媒体と
を備え、
前記命令は、前記プロセッサによって実行されると、
ユーザ入力をユーザから受信することであって、前記ユーザ入力は、患者身長、体重、性別、または年齢のうちの少なくとも１つを備えている、ことと、
前記患者の肺と交換される空気流と流体連通する空気流量計または１つ以上のセンサのうちの少なくとも１つから受信された空気流、圧力、酸素、または二酸化炭素測定値のうちの少なくとも１つに基づいて、現在の換気モードおよび関連付けられた人工呼吸器設定を示す換気信号を発生させることと、
前記換気信号内に存在するアーチファクトを識別し、それをフィルタ除去することと、
前記現在の換気モードおよび関連付けられた人工呼吸器設定が前記ユーザ入力によって定義された所定の限界内にあるかどうかに基づいて、前記換気を標的内または標的外のいずれかとして分類することと、
前記換気が標的外である場合、標的外換気タイプを決定し、アラートを発生させることと、
前記アラートが発生させられる場合、ユーザインターフェースを介して、前記標的外換気タイプに基づいて是正措置を提案することと
を前記プロセッサに行わせ、
前記提案される是正措置は、前記ユーザが前記患者の手動バギングまたは機械的人工呼吸器の人工呼吸器設定を調節することによって実装可能である、蘇生および換気監視システム。
（項目２）
前記ユーザ入力を前記ユーザから受信するように構成された測定セレクタをさらに備え、
前記測定セレクタは、数字、文字、または色のうちの少なくとも１つを含む代用マーカを含む、項目１に記載の蘇生および換気監視システム。
（項目３）
前記代用マーカは、複数の着色オプションを含み、前記複数の着色オプションの各々は、Ｂｒｏｓｅｌｏｗテープによって定義された色および関連付けられた測定値増加に対応し、
前記Ｂｒｏｓｅｌｏｗテープによって定義された前記色および関連付けられた測定値増加の各々は、前記換気のそれぞれの所定の限界に対応する、項目１に記載の蘇生および換気監視システム。
（項目４）
前記ユーザ入力は、臨床決定支援アラーム閾値と是正措置のための提案とのためのユーザ定義設定をさらに備え、
前記アラートは、前記標的外換気タイプが前記臨床決定支援アラーム閾値を超えている場合に発生させられる、項目１に記載の蘇生および換気監視システム。
（項目５）
前記プロセッサは、ＷｉＦｉ、Ｂｌｕｅｔｏｏｔｈ（登録商標）、シリアル通信、またはセルラー通信のうちの少なくとも１つを介して、前記空気流測定値を前記空気流量計または１つ以上のセンサのうちの少なくとも１つから受信する、項目１に記載の蘇生および換気監視システム。
（項目６）
前記プロセッサは、ＷｉＦｉ、Ｂｌｕｅｔｏｏｔｈ（登録商標）、シリアル通信、またはセルラー通信のうちの少なくとも１つを介して、電子医療記録システムまたは遠隔医療システムを備えている１つ以上の外部宛先と、１つ以上の生理学的患者監視デバイスとに未加工換気データおよび臨床決定支援を含む導出された情報を送信し、前記１つ以上の生理学的患者監視デバイスは、パルスオキシメータ、非侵襲性血圧カフ、侵襲性動脈血圧モニタ、頭蓋内モニタ、または心臓および循環器系生理学モニタを備えている、項目５に記載の蘇生および換気監視システム。
（項目７）
前記換気信号アーチファクトは、吸入事象、咳嗽、または患者人工呼吸器接続解除のうちの少なくとも１つである、項目１に記載の蘇生および換気監視システム。
（項目８）
前記非一過性コンピュータ読み取り可能な媒体の命令は、前記プロセッサによって実行されると、呼吸不全表現型が前記換気内に存在するかどうかを決定することを前記プロセッサにさらに行わせ、前記呼吸不全表現型のサブタイプは、急性呼吸窮迫症候群、閉塞性肺疾患、または気胸のうちの少なくとも１つである、項目１に記載の蘇生および換気監視システム。
（項目９）
前記ユーザ入力によって定義された前記換気の所定の限界は、容認可能な呼吸数および一回換気量の対応する範囲を備えている、項目１に記載の蘇生および換気監視システム。
（項目１０）
前記換気の所定の限界は、前記ユーザ入力に基づく一般的に承認されている慣行標準を備えている、項目１に記載の蘇生および換気監視システム。
（項目１１）
前記発生させられるアラートは、視覚的アラートである、項目１に記載の蘇生および換気監視システム。
（項目１２）
前記発生させられるアラートは、オーディオアラートである、項目１に記載の蘇生および換気監視システム。
（項目１３）
前記非一過性コンピュータ読み取り可能な媒体の命令は、前記プロセッサによって実行されると、前記標的外換気のタイプがＰＶＡである場合、患者−人工呼吸器非同調（ＰＶＡ）サブタイプを決定することを前記プロセッサにさらに行わせ、
前記ＰＶＡサブタイプは、ダブルトリガ非同調、呼吸蓄積非同調、流量非同調、遅延終了非同調、早期終了非同調、強制呼気非同調、または非効果的トリガ非同調のうちの少なくとも１つであり、
前記提案される是正措置は、前記ＰＶＡサブタイプ、前記ＰＶＡの頻度、および前記ＰＶＡの時間的パターンのうちの少なくとも１つに基づく、項目１に記載の蘇生および換気監視システム。
（項目１４）
前記非一過性コンピュータ読み取り可能な媒体の命令は、前記プロセッサによって実行されると、前記標的外換気のタイプが一回換気量侵害である場合、送達される吸気体積が標的内にあるか、または標的外にあるかを決定することを前記プロセッサにさらに行わせ、
前記提案される是正措置は、前記現在の換気モードおよび関連付けられた人工呼吸器設定に基づく、項目１に記載の蘇生および換気監視システム。
（項目１５）
前記非一過性コンピュータ読み取り可能な媒体の命令は、前記プロセッサによって実行されると、病理学が急性呼吸窮迫症候群、閉塞性肺疾患、または気胸のうちの少なくとも１つを含むとき、換気を持続的に分析することによって、肺コンプライアンスの変化を経時的に決定することと、病理学的変化を経時的に識別することとを前記プロセッサにさらに行わせる、項目１に記載の蘇生および換気監視システム。
（項目１６）
前記１つ以上のセンサのうちの少なくとも１つは、前記患者の肺と交換される空気流と流体連通するＣＯ２センサを備えている、項目１に記載の蘇生および換気監視システム。
（項目１７）
前記非一過性コンピュータ読み取り可能な媒体の命令は、前記プロセッサによって実行されると、呼気された息中のＣＯ２を持続的に分析することによって、少なくとも、不適切な換気数または病理学のうちの少なくとも１つを識別すること、または心停止からの転帰を予測することを前記プロセッサにさらに行わせる、項目１に記載の蘇生および換気監視システム。
（項目１８）
前記１つ以上のセンサのうちの少なくとも１つは、前記患者の肺と交換される空気流と流体連通するＯ２センサを備えている、項目１に記載の蘇生および換気監視システム。
（項目１９）
前記非一過性コンピュータ読み取り可能な媒体の命令は、前記プロセッサによって実行されると、
前記Ｏ２を持続的に分析することと、
前記Ｏ２含有量が現在の生理学的状態のために高すぎるとき、または低すぎるときのいずれかを識別することと、
前記ユーザにＯ２濃度の変化に対してフィードバックを提供することと
を前記プロセッサにさらに行わせる、項目１に記載の蘇生および換気監視システム。
（項目２０）
前記非一過性コンピュータ読み取り可能な媒体の命令は、前記プロセッサによって実行されると、臨床データを持続的に分析することを前記プロセッサにさらに行わせ、前記臨床データは、ＷｉＦｉ、Ｂｌｕｅｔｏｏｔｈ（登録商標）、シリアル通信、またはセルラー通信のうちの少なくとも１つを介して、電子医療記録を備えている１つ以上の外部源と、パルスオキシメータ、非侵襲性血圧カフ、侵襲性動脈血圧モニタ、頭蓋内モニタ、または心臓および循環器系生理学モニタを備えている１つ以上の生理学的患者監視デバイスとから取得される、項目１に記載の蘇生および換気監視システム。
（項目２１）
前記非一過性コンピュータ読み取り可能な媒体の命令は、前記プロセッサによって実行されると、ＷｉＦｉ、Ｂｌｕｅｔｏｏｔｈ（登録商標）、シリアル通信、またはセルラー通信のうちの少なくとも１つを介して、電子医療記録システムまたは遠隔医療システムを備えている１つ以上の外部源と、他の生理学的患者監視デバイスとに未加工換気データまたは前記蘇生および換気監視システムから導出されたより高次の情報を伝送することを前記プロセッサにさらに行わせ、前記他の生理学的患者監視デバイスは、パルスオキシメータ、非侵襲性血圧カフ、侵襲性動脈血圧モニタ、頭蓋内モニタ、または心臓および循環器系生理学モニタを備えている、項目１に記載の蘇生および換気監視システム。
（項目２２）
前記１つ以上のセンサのうちの少なくとも１つは、前記患者の肺と交換される空気流と流体連通する圧力センサを備えている、項目１に記載の蘇生および換気監視システム。
（項目２３）
命令を有する非一過性コンピュータ読み取り可能な媒体であって、前記命令は、人工呼吸器のプロセッサによって実行されると、
ユーザ入力をユーザから受信することであって、前記ユーザ入力は、患者身長、体重、性別、または年齢のうちの少なくとも１つを備えている、ことと、
前記患者の肺と交換される空気流と流体連通する空気流量計または１つ以上のセンサのうちの少なくとも１つから受信された空気流測定値に基づいて、現在の換気モードおよび関連付けられた人工呼吸器設定を示す換気信号を発生させることと、
前記換気信号内に存在するアーチファクトを識別し、それをフィルタ除去することと、
前記現在の換気モードおよび関連付けられた人工呼吸器設定が前記ユーザ入力によって定義された所定の限界内にあるかどうかに基づいて、前記換気を標的内または標的外のいずれかとして分類することと、
前記換気が標的外である場合、標的外換気タイプを決定し、アラートを発生させることと、
前記アラートが発生させられる場合、ユーザインターフェースを介して、前記標的外人工呼吸器タイプに基づいて是正措置を提案することと
を前記プロセッサに行わせ、
前記提案される是正措置は、前記ユーザが前記患者の手動バギングまたは機械的人工呼吸器の人工呼吸器設定を調節することによって実装可能である、非一過性コンピュータ読み取り可能な媒体。
（項目２４）
前記命令は、前記プロセッサによって実行されると、前記標的外換気のタイプが患者−人工呼吸器非同調である場合、患者−人工呼吸器非同調タイプを決定することを前記プロセッサにさらに行わせ、
前記提案される是正措置は、前記患者−人工呼吸器非同調タイプに基づく、項目２３に記載の非一過性コンピュータ読み取り可能な媒体。
（項目２５）
前記命令は、前記プロセッサによって実行されると、呼吸不全表現型が前記換気内に存在するかどうかを決定することを前記プロセッサにさらに行わせる、項目２３に記載の非一過性コンピュータ読み取り可能な媒体。
（項目２６）
前記命令は、前記プロセッサによって実行されると、換気を持続的に分析することによって、肺コンプライアンスの変化を経時的に決定することと、病理学的変化を経時的に識別することとを前記プロセッサにさらに行わせ、前記病理学的変化は、急性呼吸窮迫症候群、閉塞性肺疾患、または気胸を含む、項目２３に記載の非一過性コンピュータ読み取り可能な媒体。
（項目２７）
患者の蘇生および換気を監視する方法であって、前記方法は、
測定セレクタを介して、ユーザ入力をユーザから受信することであって、前記ユーザ入力は、患者身長、体重、性別、または年齢のうちの少なくとも１つを備えている、ことと、
前記患者の肺と交換される空気流と流体連通する空気流量計または１つ以上のセンサのうちの少なくとも１つから受信された空気流測定値に基づいて、現在の換気モードおよび関連付けられた人工呼吸器設定を示す換気信号を発生させることと、
前記換気信号内に存在するアーチファクトを識別し、それをフィルタ除去することと、
前記現在の換気モードおよび関連付けられた人工呼吸器設定が前記ユーザ入力によって定義された所定の限界内にあるかどうかに基づいて、前記換気を標的内または標的外のいずれかとして分類することと、
前記換気が標的外である場合、標的外換気タイプを決定し、アラートを発生することと、
前記アラートが発生させられる場合、ユーザインターフェースを介して、前記標的外換気タイプに基づいて、是正措置を提案することと
を含み、
前記提案される是正措置は、前記ユーザが前記患者の手動バギングまたは機械的人工呼吸器の人工呼吸器設定を調節することによって実装可能である、方法。
（項目２８）
前記標的外換気のタイプがＰＶＡである場合、ＰＶＡサブタイプを決定することをさらに含み、
前記提案される是正措置は、前記ＰＶＡサブタイプに基づく、項目２７に記載の方法。
（項目２９）
呼吸不全表現型が前記換気内に存在するかどうかを決定することをさらに含む、項目２７に記載の方法。
（項目３０）
換気を持続的に分析することによって、肺コンプライアンスの変化を経時的に決定することと、病理学的変化を経時的に識別することとをさらに含み、前記病理学的変化は、急性呼吸窮迫症候群、閉塞性肺疾患、または気胸を含む、項目２７に記載の方法。
（項目３１）
換気送達の特定の方法が、循環器系ショックの発現または悪化に影響し得るとき、末端器官機能不全の発現または悪化に影響し得るとき、または、所与の急性疾病の生理学的必要性を満たすために不十分であるとき等、外部源から導出された臨床データと連動して、換気データを持続的に分析することによって、前記換気の状態および呼吸不全以外の疾病の両方に関連する１つ以上の病理学的状態を検出することと、
換気設定の調節を検討するようにオペレータを促すことと
をさらに含む、項目２７に記載の方法。